(57)【要約】【課題】循環液の流路に配置する循環ポンプの単純構造で低騒音、ケーシング厚み寸法の小形薄型化を図る。【解決手段】前記ケーシングに円筒型ネジポンプ室に流入させる吸込口と、前記循環液流路内から前記循環液を流出させる吐出口とを備えた循環ポンプケーシング内に形成する液体流路に螺状の溝を刻んだネジ形回転子を内臓する円筒型ネジポンプ室と駆動部室に分離する隔壁部を平面位置配置し、隔壁部を挟んで磁石の吸引力による液体流路ポンプ室のネジ形回転子の一端に設けたカップリング部材に駆動モータの回転を伝達する。ネジ形回転子に刻んだ螺状の溝と円筒型ネジポンプ室の内壁の間にポンプ水路を形成し前記ネジ形回転子の回転に伴い円筒型ネジポンプ室に循環液を吸込口から流入し、吐出口からポンプ室外へ流出する。【選択図】図４
2006300042.tif 000002
【特許請求の範囲】
【請求項１】
流体の吸入口と吐出口を有するケーシングと、前記ケーシング内に回転軸と一体で回転する一本のネジ回転子を収容配置し、前記ネジ回転子と一体で回転する前記回転軸の両端に回転自在に支持する軸受部とネジ回転子軸の一端に一体となって回転を伝達する非接触の回転磁気カプラー１と、モータとモータ軸の一端にモータ軸と一体で回転する非接触の回転磁気カプラー２と、前記回転磁気カプラー１と前記回転磁気カプラー２から構成された磁気カプラーユニットを分離する隔壁で連通を分断する軸封装置を設けた円筒状のポンプ室のネジポンプにおいて、前記ケーシングの流体の吸入口と吐出口と円筒状のポンプ室とネジ回転子軸と動力モータ軸の回転軸中心が平面的に配置したことを特徴としたネジ型ポンプ。
【請求項２】
流体の吸入口と吐出口を有するケーシングと、前記ケーシング内に回転軸と一体で回転する一本のネジ回転子を収容配置し、前記ネジ回転子と一体で回転する前記回転軸の両端に回転自在に支持する軸受部とネジ回転子軸の一端に一体となって回転を伝達する非接触回転磁気カプラー１とモータとモータ軸の一端にモータ軸と一体で回転する非接触回転磁気カプラー２と前記回転磁気カプラー１と前記回転磁気カプラー２から構成された磁気カプラーユニットを分離する隔壁で連通を分断する軸封装置を設けた円筒状のポンプ室のネジポンプにおいて、前記磁気カプラーユニットの前記ネジ回転子軸の一端に一体となって回転を伝達する前記非接触回転磁気カプラー１には外周が櫛の歯状に磁気誘導金属が設けられ、前記モータ軸の一端にモータ軸と一体で回転する非接触回転磁気カプラー２には永久磁石回転カプラーを設けたことを特徴とするネジポンプ。
【請求項３】
流体の吸入口と吐出口を有するケーシングと、前記ケーシング内に回転軸と一体で回転する一本のネジ回転子を収容配置し、前記ネジ回転子と一体で回転する前記回転軸の両端に回転自在に支持する軸受部とネジ回転子軸の一端に一体となって回転を伝達する非接触回転磁気カプラー１と、モータとモータ軸の一端にモータ軸と一体で回転する非接触回転磁気カプラー２と、前記回転磁気カプラー１と前記回転磁気カプラー２から構成された磁気カプラーユニットを分離する隔壁で連通を分断する軸封装置を設けたネジポンプにおいて、前記磁気カプラーユニットのネジ回転子軸の一端に一体となって回転を伝達する非接触回転磁気カプラー１には外周にＮＳ磁極を着磁された永久磁石回転カプラーを設け前記モータ軸の一端にモータ軸と一体で回転する非接触回転磁気カプラー２には磁気誘導金属或いは永久磁石回転カプラーを設けたことを特徴とするネジポンプ。
【請求項４】
循環液体の吸入口と吐出口を有するケーシングと、前記ケーシング内に回転軸と一体となって回転する一本のネジ回転子を収容して前記ネジ回転子軸に回転を伝達するモータのロータ永久磁石を固定し隔壁で分離しポンプ室と連通しない円筒隔壁の外周モータのステータ設け回転磁界を発生するコイルを配置した分離型モータを設けたネジポンプにおいて前記ケーシングの液体の吸入口と吐出口と円筒状のポンプ室とネジ回転子軸と動力モータ軸の回転軸中心が平面的に配置された前記ケーシング内に円筒状のポンプ室と１つ或いは複数の螺旋溝を設けたネジ回転子と前記ネジ回転子の軸部一端に円周に磁極が外周に着磁された永久磁石を設けたことを特徴とするネジポンプ。
【請求項５】
前記ネジ回転子軸に固定される請求項１、請求項２、の非接触回転カプラー１若しくは請求項３請求項４の金属部磁石部に循環液が直接触れないように防錆皮膜またはプラスチックで覆いしたことを特徴とする請求項１、請求項２、請求項３、請求項４記載のネジポンプ。
【発明の詳細な説明】
【利用分野】
【０００１】本発明は、モータ内蔵形の流体ポンプ及びこの流体ポンプを備えた冷却装置並びに通信機器、電子機器、デスクトップ形パーソナルコンピュータ、ノート形パーソナルコンピュータの水冷式冷却用循環小型ポンプに関する。
【背景技術】  従来例として、遠心型ポンプはポンプの駆動部モーターとポンプ室が構造的に厚みが嵩張る構成でパソコン等に供する水冷式冷却用の超小型ポンプ特願平１１−３０９３１７、特開２００３−１７２２８７、特開２００１−１３２６９９などがある。
【発明が解決しようとする課題】
【０００２】通信機器、電子機器の大容量化に伴い演算装置（ＣＰＵ）の高速化等作動時に発生する熱量が多くなってきている。装置の発熱量が増大し放熱構造も従来の空冷式に合わせて水冷による放熱構造が重要となってきた。
【０００３】従来の軸封装置では、流体が流路に流れ吸い込まれる吸入口と、流れ吐き出される吐出口の位置向きが規制されていた。
液体が流液路に流れ込む吸入口と、流れ吐き出される吐出口の向きをポンプの厚さ寸法内にして薄型にしているが駆動部モーター部の厚さ寸法とポンプ構造部の厚さ寸法が重なり薄型化には限界がある。
【発明が解決するための手段】
【０００４】本発明の請求項１のネジ型ポンプは、ケーシング内に流体が流通する流路を内部に有し前記流路に筒状のポンプ室が設けられ前記ポンプ室には流体が流れこむ吸込口と、前記流体が放出される吐出口が設けられ、前記ポンプ室内に丸棒状の外周に螺旋の溝を有するネジ状の回転子が配置され、前記回転子の両端には回転自在に軸受が設けられて、前記ポンプ室内の内壁と前記回転子ネジ状の外周螺旋の溝で回転移動する回転流路が構成される。
【０００５】前記回転子の軸受の一方に回転子と一体となって回転を伝達する非接触回転磁気カプラーＡとモータとモータ軸の一端にモータ軸と一体で回転する非接触回転磁気カプラーＢから構成される磁気カプラーユニットを分離する隔壁で連通を分断した軸封装置を設けたネジポンプにおいて、前記回転子の回転により前
【０００６】記回転流路が螺旋の進み角により液体を吸い込み送り出す吐出口の位置が同一平面もしくは略同一平面に設けることにより、ネジポンプの厚さ寸法はネジ形状部のモジュールの寸法を従来の形状より小さい薄型にすることができ、駆動部モーター部の厚さ寸法とポンプ構造部の厚さ寸法を小さく同一平面もしくは略同一平面に配置することでポンプの厚さ寸法内に小型の薄型の構造にすることができる。
【発明を実施するための最良の形態】
【０００７】本発明を、冷却装置に適用した第１の実施例を図１、図２を参照しながら説明する。図３は小型のネジポンプ１を概略的に示す外観斜視図である、図４は電子装置２を概略的に示す斜視図で電子装置２内には、装置冷却ファン３、発熱体ＣＰＵ４を搭載した電子基板部５と冷却ユニット６、制御装置７が配置されている。【０００８】冷却ユニット６はネジポンプ１、受熱部８、放熱部９とから構成されている、冷却ユニット６には接続するチューブ１０、１１、１２を備える、前記チューブ１０、１１、１２は、内径が２〜４ｍｍの可撓性を有する細管から構成されている。ネジポンプ１、チューブ１０、受熱部８、チューブ１１、放熱部９、チューブ１２からなる循環サイクルには、粘度が低い流体冷媒、例えば防錆性のある冷却水を使用した循環サイクルを構築する。
冷却ユニット６には前記発熱体ＣＰＵ４に密着するように受熱部８を配置し前記発熱体ＣＰＵ４の熱を効率よく伝達する。【０００９】前記ネジポンプ１の構成を図１、図２及び図３を参照しながら説明する。
ネジポンプ１は、流体が吸い込まれる流入口１３と流体を送り出す円筒状のポンプ室１４と流体が放出される吐出口１５が備えられた本体ケース１６と、流体を吸い込み押し出す回転子１７、回転子１７は外周にネジ状溝１８が刻み込まれ、円筒状のポンプ室１４の壁とネジ状溝１８の隙間に回転流路がつくられる前記回転子１７において軸の一方の軸端Ａ１９に磁気カプラＡ２０を固定し前記回転子１７が回転自在に嵌合するポンプ室１４の軸受部２１を設け回転子１７の軸端Ａ１９近傍を支持する、前記回転子１７を均衡に回転自在に嵌合するように軸端Ｂ２２を支持する軸受部２３を設けたケース密閉フタ２４でポンプ室１４が水密な流路を構成される。【００１０】ポンプ室１４の軸受部２１近傍の外周壁２５を隔て磁気カプラＢ２６が非接触で回転自在に配置し、ポンプ室１４の外周の磁気カプラＢ２６の回転が磁気カプラＡ２０に従動し前記回転子１７に回転動力が伝達される。【００１１】磁気カプラＢ２６には小型モータ２７の軸２８に結合させ、この小型モータ２７の回転動力が磁気カプラＢ２６と磁気カプラＡ２０の磁気カップリングで前記回転子１７に回転動力を伝達する、回転子１７が回転すると回転子１７の外周に刻まれたネジ状溝１８の谷部とポンプ室１４の円筒壁２９で構成される回転体流路３０がネジ状溝１８の進み角に従い回転流路３０内の流体を押し出し吐出口１５から放出し流入口１３から流体が流れ込み循環ポンプ作用が構築される。【００１２】ネジポンプ１の吐出口１１にチューブ１０の一端を装着固定し、チューブ１０のもう一端に前記発熱体ＣＰＵ４上に配置した受熱部８に繋ぎ、受熱部８からチューブ１１に装着しチューブ１１から放熱部９に繋ぎ、放熱部９からチューブ１２に繋ぎ、チューブ１２からネジポンプ１の流入口１３に繋ぐ。【００１３】放熱部９で冷却された冷媒液がネジポンプ１により発熱体ＣＰＵ４の熱を吸熱した受熱部８に流入し、受熱部８の熱交換をして発熱体ＣＰＵ４の冷却を促し、且つ熱を受けた液体はチューブ１１により放熱部９へ送られ熱交換をして液体は冷却され再びチューブ１２から流入口１３に送られネジポンプ１で吐出口１１から送りだされ冷媒液が循環サイクルをする。【００１４】ネジポンプ１の小型モータ２７を制御するように、放熱部８及び受熱部９のうちのどちらか一方の温度に基づいて駆動を制御する駆動制御装置７を構成しても良い。本発明に係る冷却装置は、ノート形パーソナルコンピュータ或いは他の電子機器に搭載しても良い。
【発明の効果】
【００１５】以上の説明から明らかなように、本発明のネジポンプは、ケーシングに設けられた流入口及び流出口を、ロータの軸部外周に設けられたねじ溝と円筒状内壁面で構成されるポンプ室により流体が押し出されるので流体の流量を定量的に的確な制御が出来る。上述の如くロータの軸部のねじ溝とその外周を覆う円筒状ポンプ室の構成でケーシングの厚み寸法を小さくすることができる。
【００１６】また、本発明の上記ネジポンプを備えた冷却装置は、装置全体の小形化を図ることができる。
更に、本発明のノート形パーソナルコンピュータは、上記冷却装置を内部に搭載すれば、装置の大形化を招くことなく演算装置を効率良く冷却することができる。
【図面の簡単な説明】
【００１７】
【図１】本発明による実施例電子装置の構造斜視図
【図２】本発明による実施例放熱システム図
【図３】本発明の構造斜視図
【図４】本発明の断面図
【符号の説明】
【００１８】１    ネジポンプ
２    電子装置
３    冷却用ファン
４    ＣＰＵ
５    電子基板部
６    冷却ユニット
７    制御装置
８    受熱部
９    放熱部
１０  チューブ
１１  チューブ
１２  チューブ
１３  流入口
１４  ポンプ室
１５  吐出口
１６  ケース本体
１７  回転子
１８  ネジ状溝
１９  軸端Ａ
２０  磁気カプラーＡ
２１  軸受部
２２  軸端Ｂ
２３  軸受部
２４  ケース密閉フタ外周壁
２５  外周壁
２６  磁気カプラＢ
２７  小型モータ
２８  軸
２９  円筒壁
３０  流路
３１  Ｏリング
３２  Ｏリング
３３  Ｏリング
３４  取付台
【図１】
2006300042.tif 000003
【図２】
2006300042.tif 000004
【図３】
2006300042.tif 000005
【図４】
2006300042.tif 000006